【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
基板と、
前記基板上に互いに離隔して配置された複数の発光セルと、
隣接する発光セルを電気的に接続する連結配線とを含み、
前記隣接する発光セルのうちの第１発光セルは複数の第１セグメントを含み、前記隣接する発光セルのうちの第２発光セルは、前記複数の第１セグメントとそれぞれ対向する複数の第２セグメントを含み、
それぞれが前記連結配線と接する端部を有して互いに対向する第１及び第２セグメントの間の第１離隔距離よりも、それぞれが前記連結配線と接しない端部を有して互いに対向する第１及び第２セグメントの間の第２離隔距離がさらに小さい、発光素子。
【請求項２】
前記第１セグメントは、
前記連結配線と接する端部を有する第１−１セグメントと、
前記第１−１セグメントから延び、前記連結配線と接しない端部を有する第１−２セグメントとを含み、
前記第２セグメントは、
前記連結配線と接する端部を有し、前記第１−１セグメントと対向する第２−１セグメントと、
前記第２−１セグメントから延び、前記連結配線と接しない端部を有し、前記第１−２セグメントと対向する第２−２セグメントとを含む、請求項１に記載の発光素子。
【請求項３】
前記第１−２セグメントの前記第２−２セグメントと対向する端部は、前記第１−１セグメントの前記第２−１セグメントと対向する端部よりも第１突出長さだけさらに突出した、請求項２に記載の発光素子。
【請求項４】
前記第２−２セグメントの前記第１−２セグメントと対向する端部は、前記第２−１セグメントの前記第１−１セグメントと対向する端部よりも第２突出長さだけさらに突出した、請求項２又は３に記載の発光素子。
【請求項５】
前記第１突出長さと前記第２突出長さは互いに異なる、請求項４に記載の発光素子。
【請求項６】
前記第１−２セグメントは、前記第１−１セグメントの両側に延びて配置され、前記第２−２セグメントは、前記第２−１セグメントの両側に延びて配置された、請求項２ないし５のいずれかに記載の発光素子。
【請求項７】
前記第１−１セグメントの端部の幅と前記第２−１セグメントの端部の幅は互いに異なる、請求項２ないし６のいずれかに記載の発光素子。
【請求項８】
前記第１−２セグメントの端部の幅と前記第２−２セグメントの端部の幅は互いに異なる、請求項２ないし７のいずれかに記載の発光素子。
【請求項９】
前記隣接する発光セルのそれぞれは、
前記基板上に配置された第１導電型半導体層と、
前記第１導電型半導体層上に配置された活性層と、
前記活性層上に配置された第２導電型半導体層とを含む、請求項２ないし８のいずれかに記載の発光素子。
【請求項１０】
前記第１−１セグメントにおいて前記第１導電型半導体層の端部は前記連結配線と接し、前記第２−１セグメントにおいて前記第２導電型半導体層の端部は前記連結配線と接する、請求項９に記載の発光素子。
【請求項１１】
前記第１突出長さと前記第２突出長さは互いに同一である、請求項４に記載の発光素子。
【請求項１２】
前記第１−１セグメントの端部の幅と前記第２−１セグメントの端部の幅は互いに同一である、請求項２ないし６のいずれかに記載の発光素子。
【請求項１３】
前記第１−２セグメントの端部の幅と前記第２−２セグメントの端部の幅は互いに同一である、請求項２ないし７のいずれかに記載の発光素子。
【請求項１４】
前記第１−１セグメントの端部と前記第２−１セグメントの端部との間の前記第１離隔距離は１０μｍ〜５５μｍである、請求項２ないし１３のいずれかに記載の発光素子。
【請求項１５】
前記第１−２セグメントの端部と前記第２−２セグメントの端部との間の前記第２離隔距離は５μｍ〜５０μｍである、請求項２ないし１４のいずれかに記載の発光素子。
【請求項１６】
前記第１−１セグメントの端部の幅は５μｍ〜８μｍである、請求項２ないし１５のいずれかに記載の発光素子。
【請求項１７】
前記第２−１セグメントの端部の幅は５μｍ〜８μｍである、請求項２ないし１６のいずれかに記載の発光素子。
【請求項１８】
前記第１セグメントを含む発光セルと前記第２セグメントを含む発光セルとは、垂直方向に隣接する、請求項１ないし１７のいずれかに記載の発光素子。
【請求項１９】
前記第１セグメントを含む前記第１発光セルと前記第２セグメントを含む前記第２発光セルとは、水平方向に隣接する、請求項１ないし１７のいずれかに記載の発光素子。
【請求項２０】
下記式に示した分だけ増加した発光領域を有する、請求項２ないし１８のいずれかに記載の発光素子。
【数１】
2014131038.tif 000001
（ここで、ＴＰＡは、前記発光領域の増加面積を示し、Ｗ１２は、前記第１−２セグメントの端部の幅を示し、△Ｌ１は、前記第１−２セグメントの前記第２−２セグメントと対向する端部が、前記第１−１セグメントの前記第２−１セグメントと対向する端部よりさらに突出した第１突出長さを示し、Ｗ２２は、前記第２−２セグメントの端部の幅を示し、△Ｌ２は、前記第２−２セグメントの前記第１−２セグメントと対向する端部が、前記第２−１セグメントの前記第１−１セグメントと対向する端部よりさらに突出した第２突出長さを示し、Ｍは、前記複数の発光セルの個数を示す。）
【請求項２１】
基板と、
前記基板上に互いに離隔して配置された複数の発光セルと、
隣接する発光セルを電気的に接続する連結配線とを含み、
前記隣接する発光セルのうちの第１発光セルは複数の第１セグメントを含み、前記隣接する発光セルのうちの第２発光セルは、前記複数の第１セグメントとそれぞれ対向する複数の第２セグメントを含み、
前記第１セグメントは、
前記連結配線と接する端面を有する第１−１セグメントと、
前記第１−１セグメントの両側から延び、前記連結配線と接しない端面をそれぞれ有する少なくとも２つの第１−２セグメントとを含み、
前記第２セグメントは、
前記連結配線と接する端面を有し、前記第１−１セグメントと対向する第２−１セグメントと、
前記第２−１セグメントの両側から延び、前記連結配線と接しない端面をそれぞれ有し、前記第１−２セグメントと対向する少なくとも２つの第２−２セグメントとを含み、
互いに対向する前記第１−１セグメントと前記第２−１セグメントとの間の第１離隔距離は、前記第１−２セグメントと前記第２−２セグメントとの間の第２離隔距離よりも大きく、
前記隣接する発光セルのうちの第３発光セルは、前記隣接する発光セルのうちの第４発光セルと電気的に接続されず、
前記第３発光セルと前記第４発光セルは互いに隣接し、
前記第１離隔距離は、前記第３発光セルと前記第４発光セルとの間の第３離隔距離よりも大きい、発光素子。
【請求項２２】
基板と、
前記基板上に互いに離隔して配置された複数の発光セルと、
隣接する発光セルを電気的に接続する連結配線とを含み、
前記隣接する発光セルのうちの第１発光セルは複数の第１セグメントを含み、前記隣接する発光セルのうちの第２発光セルは、前記複数の第１セグメントとそれぞれ対向する複数の第２セグメントを含み、
前記第１セグメントは、
前記連結配線と接する端面を有する第１−１セグメントと、
前記第１−１セグメントの両側から延び、前記連結配線と接しない端面をそれぞれ有する少なくとも２つの第１−２セグメントとを含み、
前記第２セグメントは、
前記連結配線と接する端面を有し、前記第１−１セグメントと対向する第２−１セグメントと、
前記第２−１セグメントの両側から延び、前記連結配線と接しない端面をそれぞれ有し、前記第１−２セグメントと対向する少なくとも２つの第２−２セグメントとを含み、
互いに対向する前記第１−１セグメントと前記第２−１セグメントとの間の第１離隔距離は、前記第１−２セグメントと前記第２−２セグメントとの間の第２離隔距離よりも大きく、
前記隣接する発光セルのうちの第３発光セルは、前記隣接する発光セルのうちの第４発光セルと電気的に接続されず、
前記第３発光セルと前記第４発光セルは互いに隣接し、
前記第２離隔距離は、前記第３発光セルと前記第４発光セルとの間の第３離隔距離と互いに同一である、発光素子。